(57)【要約】【課題】  本発明は、無線計測装置に関し、例えばＷＣＤＭＡに係る携帯電話システムの無線計測装置に適用して、簡易な構成によりソフトハンドオーバーに供するシステムフレーム番号の時間差を検出することができるようにする。【解決手段】  本発明は、現在受信中の基地局と移動先セルの基地局とに係るシステムフレーム番号の受信のタイミングからシステムフレーム番号の大まかな時間差を検出した後、現在受信中の基地局と移動先セルの基地局に係るフレームの位相差を検出して補正する。【選択図】        図１
2006074082.tif 000002
【特許請求の範囲】
【請求項１】
符号分割多元接続の無線通信システムに係る無線計測装置の制御方法であって、
現在受信中の基地局に係るシステムフレーム番号の受信のタイミングと、移動先セルの基地局に係るシステムフレーム番号の受信のタイミングとを順次検出し、該検出結果に基づいて、前記現在受信中の基地局に係るシステムフレーム番号と、前記移動先セルの基地局に係るシステムフレーム番号との大まかな時間差を検出し、
前記現在受信中の基地局に係るフレームと、前記移動先セルの基地局に係るフレームとの位相差を検出し、該検出結果により前記大まかな時間差を補正して、前記現在受信中の基地局に係るシステムフレーム番号と、前記移動先セルの基地局に係るシステムフレーム番号との時間差を検出する
ことを特徴とする無線計測装置の制御方法。
【発明の詳細な説明】
【技術分野】
【０００１】
本発明は、無線計測装置の制御方法に関し、例えばＷＣＤＭＡ（Wideband Code Division Multiple Access：広域符号分割多元接続）に係る携帯電話システムの無線計測装置に適用することができる。本発明は、現在受信中の基地局と移動先セルの基地局とに係るシステムフレーム番号の受信のタイミングからシステムフレーム番号の大まかな時間差を検出した後、現在受信中の基地局と移動先セルの基地局に係るフレームの位相差を検出して補正することにより、簡易な構成によりソフトハンドオーバーに供するシステムフレーム番号の時間差を検出することができるようにする。
【背景技術】
【０００２】
近年、ＷＣＤＭＡ等による携帯電話システムにおいては、セル間を移動する場合、ソフトハンドオーバーにより通信を確保するようになされている。
【０００３】
ここでソフトハンドオーバーは、例えば特開２００３−１７９９５４号公報に説明されているように、現在通信中の基地局と移動先セルの基地局とから通知されるシステムフレーム番号（ＳＦＮ：System Frame Number ）の時間差（SFN −SFN observed Time Differnce ）をユーザー端末装置で検出し、この時間差を通信中の基地局に通知することにより、移動先セルとの間で同期を確立するものである。
【０００４】
このためＷＣＤＭＡによるユーザー端末においては、これら現在通信中の基地局と移動先セルの基地局との双方について、ハードウエア構成により同時にシステムフレーム番号を検出できるようになされている。
【０００５】
これに対してこのような携帯電話システムにおいては、無線計測装置により基地局から送出された無線通信波を受信し、受信結果を評価することにより、設備のメンテナンス等を図るようになされている。
【０００６】
このような無線計測装置においては、セルを移動して計測を継続する場合があり、これによりこのような無線計測装置においても、セル間の移動に際してソフトハンドオーバーにより通信を確保することが望まれる。また当然のことながら、このようなソフトハンドオーバーにあっては、簡易な構成によることが望まれる。
【特許文献１】特開２００３−１７９９５４号公報
【発明の開示】
【発明が解決しようとする課題】
【０００７】
本発明は以上の点を考慮してなされたもので、簡易な構成によりソフトハンドオーバーに供するシステムフレーム番号の時間差を検出することができる無線計測装置の制御方法を提案しようとするものである。
【課題を解決するための手段】
【０００８】
かかる課題を解決するため請求項１の発明においては、符号分割多元接続の無線通信システムに係る無線計測装置の制御方法に適用して、現在受信中の基地局に係るシステムフレーム番号の受信のタイミングと、移動先セルの基地局に係るシステムフレーム番号の受信のタイミングとを順次検出し、該検出結果に基づいて、前記現在受信中の基地局に係るシステムフレーム番号と、前記移動先セルの基地局に係るシステムフレーム番号との大まかな時間差を検出し、前記現在受信中の基地局に係るフレームと、前記移動先セルの基地局に係るフレームとの位相差を検出し、該検出結果により前記大まかな時間差を補正して、前記現在受信中の基地局に係るシステムフレーム番号と、前記移動先セルの基地局に係るシステムフレーム番号との時間差を検出する。
【０００９】
請求項１の構成により、符号分割多元接続の無線通信システムに係る無線計測装置の制御方法に適用して、現在受信中の基地局に係るシステムフレーム番号の受信のタイミングと、移動先セルの基地局に係るシステムフレーム番号の受信のタイミングとを順次検出し、該検出結果に基づいて、前記現在受信中の基地局に係るシステムフレーム番号と、前記移動先セルの基地局に係るシステムフレーム番号との大まかな時間差を検出する場合にあっては、１系統の受信機構の動作を順次切り換えて大まかな時間差を検出することができる。また前記現在受信中の基地局に係るフレームと、前記移動先セルの基地局に係るフレームとの位相差を検出する場合にあっても、１系統の受信機構により得られる受信データの処理により検出することができる。これによりこのようにして得られる検出結果により前記大まかな時間差を補正して、前記現在受信中の基地局に係るシステムフレーム番号と、前記移動先セルの基地局に係るシステムフレーム番号との時間差を検出すれば、簡易なハードウエア構成によりソフトハンドオーバーに供するシステムフレーム番号の時間差を検出することができる。
【発明の効果】
【００１０】
本発明によれば、簡易な構成によりソフトハンドオーバーに供するシステムフレーム番号の時間差を検出することができる。
【発明を実施するための最良の形態】
【００１１】
以下、適宜図面を参照しながら本発明の実施例を詳述する。
【実施例１】
【００１２】
（１）実施例の構成
図１は、本発明の実施例に係る無線計測装置を示すブロック図である。この無線計測装置１は、ＷＣＤＭＡによる携帯電話システムについて、基地局から送出された無線通信波を受信して受信結果の評価に供する各種の測定を実行する。
【００１３】
すなわちこの無線計測装置１において、ディスプレイ部２は、システム制御部３の制御により各種の測定結果を表示する。ＲＦ部５は、システム制御部３の制御により、アンテナ５より得られる無線通信波を増幅し、ベースバンド変換して出力する。アナログディジタル変換回路（ＡＤ）６は、このＲＦ部４のベースバンド出力をアナログディジタル変換処理して受信データを出力する。
【００１４】
ベースバンド処理部８は、システム制御部３の制御によりこのアナログディジタル変換回路６から出力される受信データを処理することにより、この無線計測装置１における処理に必要な各種のデータを出力する。すなわちベースバンド処理部８において、サーチ処理部８Ａは、システム制御部３の制御にセルサーチの処理を実行し、シンクフレーム番号、チップオフセット、スクランブリングコード等を検出する。データ復調部８Ｂは、このサーチ処理部８Ａで検出されるスクランブリングコードを用いて受信データを処理することにより、基地局より送出される各種のデータを検出する。なおベースバンド処理部８は、これらサーチ処理部８Ａ、データ復調部８Ｂの他に、この無線計測装置１の測定機能に係る各種の処理部が設けられ、これら各種の処理部による処理により例えばＲＳＣＰ（Received Signal Code Power）等を検出できるようになされている。
【００１５】
システム制御部３は、演算処理手段により構成され、ユーザーによる操作子の操作に応動して所定の処理プログラムを実行することにより、この無線計測装置１の動作を制御する。この制御において、システム制御部３は、隣接セルへ移動する場合、図２に示す処理手順の実行により、現在通信中の基地局と移動先セルの基地局とから通知されるシステムフレーム番号の時間差を検出し、この時間差を通信中の基地局に通知し、これによりソフトハンドオーバーによる一連の処理を実行する。
【００１６】
すなわちシステム制御部３は、この処理手順を開始すると、ステップＳＰ１からステップＳＰ２に移り、現在通信中の基地局について、システムフレーム番号SFN#ai及びＢＣＨフレームを受信時のタイムスタンプChip#Off#aを検出する。ここでシステム制御部３は、この場合、サーチ処理部８Ａの制御により３ＧＰＰ（3rd Generation Partnership Project）により策定されたいわゆる３段階セルサーチ法により現在通信中の基地局との間で個別チャンネル（ＤＰＣＨ：Dedicated Physical Channnel ）を確保した状態で、この個別チャンネルによるコネクションフレーム番号に対応するシステムフレーム番号を検出することにより、現在通信中の基地局についてのシステムフレーム番号SFN#aiを検出する。またこのシステムフレーム番号SFN#aiのフレームと計測用ベースバンドクロックによるＢＣＨフレーム受信時刻をチップにより検出してチップオフセットChip#Off#aを検出する。
【００１７】
続いてシステム制御部３は、ステップＳＰ３に移り、サーチ処理部８Ａの制御により移動先セルの基地局について、ステップＳＰ２と同様の方法で、ハンドオーバーに係るシステムフレーム番号SFN#biを検出し、計測用ベースバンドクロックによるＢＣＨフレーム受信時刻をチップにより検出してチップオフセットChip#Off#bを検出する。
【００１８】
ここでこのようにして検出したチップオフセットChip#Off#a及びChip#Off#bの差分値Chip#Off#b−Chip#Off#aをΔChip#diffとおき、この差分値ΔChip#diffを１フレームのチップ数３８４００で割り算した整数及び余りをそれぞれΔSFN 及びΔCHIPSと置くと、現在通信中の基地局と移動先セルの基地局とから通知されるシステムフレーム番号の時間差Time#Diff は、ステップＳＰ２及びＳＰ３でチップオフセットの検出に供した時間基準等に変動が無いとして、次式により表すことができる。なおここで256 は、１周期のシステムフレーム番号の数である。
【００１９】
【数１】
2006074082.tif 000003
【００２０】
しかしながら実際上、ステップＳＰ２及びＳＰ３における計測においては、ＲＦ部４における遅延時間、ソフトウェア動作時間等の変動も発生していることにより、この（１）式による時間差Time#Diff には、誤差が含まれていることになる。
【００２１】
これによりシステム制御部３は、続いてステップＳＰ４に移り、サーチ処理部８Ａに無指定基地局測定を指示し、通信中の基地局と移動先セルの基地局との間のチップオフセット値を検出する。ここで無指定基地局測定は、受信可能な全ての基地局に係るスクランブリングコード等を検出する処理であり、この実施例においては、ＣＰＩＣＨ（Common Point Chnnel ）を直接検出するいわゆるＣＰＩＣＨサーチ法により、アナログディジタル変換回路６より得られる受信データをメモリに記録して保持し、このメモリに記録して保持した受信データに対して、基地局に割り当て可能な全てのスクランブリングコードの位相を順次変化させて相関値を検出することにより、現在受信される基地局のスクランブリングコードを検出する。
【００２２】
システム制御部３は、この一連の処理において、通信中の基地局と移動先セルの基地局とに係るスクランブリングコードについて、スクランブリングコードの位相を順次変化させて相関値が立ち上がる位相を検出し、この検出結果により、これら２つの基地局におけるフレーム間位相差をチップオフセット値ΔChips#Scan#bitにより検出する。
【００２３】
これによりシステム制御部３は、続くステップＳＰ４において、ステップＳＰ２及びＳＰ３で検出したシンクフレーム番号SFN#ai、SFN#bi、チップオフセットChip#Off#a、Chip#Off#bによるシンクフレーム番号の差分ΔSFN と、ステップＳＰ４で検出したチップオフセット値ΔChips#Scan#bitを用いて、次式の演算処理を実行し、これにより現在通信中の基地局と移動先セルの基地局とから通知されるシステムフレーム番号の時間差Time#Diffを求める。
【００２４】
【数２】
2006074082.tif 000004
【００２５】
これらによりシステム制御部３は、現在通信中の基地局と移動先セルの基地局とについて、個別にシステムフレーム番号の受信のタイミングを検出して大まかにシステムフレーム番号の時間差Time#Diff を検出した後、無指定基地局測定により検出されるシステムフレーム番号に係るフレーム間の位相差により補正するようになされ、これにより１系統の受信データの処理系統による簡易な構成によりソフトハンドオーバーに供するシステムフレーム番号の時間差を検出することができるようになされている。
【００２６】
しかしてシステム制御部３は、このようにして検出したシステムフレーム番号の時間差Time#Diff を現在通信中の基地局に通知した後、ステップＳＰ６に移ってこの処理手順を終了するようになされている。
【００２７】
（２）実施例の動作
以上の構成において、この無線計測装置１においては、アンテナ５を介して得られる無線通信波がＲＦ部４により処理された後、アナログディジタル変換回路６により受信データに変換され、この受信データがベースバンド処理部８により処理されて各種の計測データが検出される。この無線計測装置１においては、この計測データがディスプレイ部２により表示され、これによりこの測定箇所に係る基地局のメンテナンス等に必要な情報が提供される。
【００２８】
この無線計測装置１においては、測定地点を移動しながらこのような各種の計測処理が実行され、このような移動によりセルを移動することになると、ソフトハンドオーバーにより、それまで受信していた基地局との間の通信が、移動先セルの基地局との間の通信に切り換わる。
【００２９】
このソフトハンドオーバーに先立って、この無線計測装置１においては、サーチ処理部８Ａにより現在の基地局に係るシステムフレーム番号とチップオフセットが検出され、これによりこの基地局に係るシステムフレーム番号の受信のタイミングが検出される。また続いてサーチ処理部８Ａの動作の切り換えにより、移動先セルの基地局についてシステムフレーム番号とチップオフセットが検出され、これによりこの移動先セルの基地局に係るシステムフレーム番号の受信のタイミングが検出される。
【００３０】
無線計測装置１においては、これら異なる時点で検出された２つの基地局に係るシステムフレーム番号とチップオフセットにより、これらの基地局間におけるシステムフレーム番号の時間差が大まかに検出される。しかしてこのようにして検出される時間差にあっては、誤差を含むことになる。
【００３１】
これにより無線計測装置１においては、サーチ処理部８Ａにおける無指定基地局測定により、これら２つの基地局に係るフレームの位相差が検出され、このフレームの位相差により大まかに検出したシステムフレーム番号の時間差が補正されて、正しいシステムフレーム番号の時間差が検出される。
【００３２】
しかしてこのような大まかなシステムフレーム番号の時間差の検出においては、１つのーチ処理部８Ａの動作を順次切り換えて実行することができるのに対し、フレーム間の位相差についても、１つのサーチ処理部８Ａによる受信データの処理により実行することができる。
【００３３】
これによりこの無線計測装置１においては、１系統の受信機構によりシステムを構成してシステムフレーム番号の時間差を検出することができ、その分、簡易なハードウエア構成によりソフトハンドオーバーに供するシステムフレーム番号の時間差検出することができるようになされている。
【００３４】
なおこのように受信機構の動作を順次切り換えて段階的にシステムフレーム番号の時間差を検出する場合にあっては、これらの処理の間に、無線計測装置１が大きく移動しないことが前提となる。しかしてこの種のシステムに適用される通常のユーザー端末装置においては、例えば車両等の移動により、このような一連の処理の間に、大きく移動する場合もあり、これにより実際上、適用することが困難となる。しかしながらこの種の無線計測装置１においては、オペレータの操作により各種計測処理を実行しながら移動することにより、このように段階的にシステムフレーム番号の時間差を検出するようにしても、実用上十分に実用に供することができる。これによりこの実施例においては、ハードウエア構成を簡略化して消費電力を低減し、さらにはリソースを有効に利用できるようになされている。
【００３５】
（３）実施例の効果
以上の構成によれば、現在受信中の基地局と移動先セルの基地局とに係るシステムフレーム番号の受信のタイミングからシステムフレーム番号の大まかな時間差を検出した後、現在受信中の基地局と移動先セルの基地局に係るフレームの位相差を検出して補正することにより、簡易な構成によりソフトハンドオーバーに供するシステムフレーム番号の時間差を検出することができる。
【実施例２】
【００３６】
なお上述の実施例においては、現在受信中の基地局、移動先セルの基地局の順に、システムフレーム番号の受信のタイミングを検出し、またその後、現在受信中の基地局と移動先セルの基地局に係るフレームの位相差を検出する場合について述べたが、本発明はこれに限らず、これらの検出順序においては、必要に応じて種々に変更することができる。
【００３７】
また上述の実施例においては、広域符号分割多元接続に係る携帯電話システムの無線計測装置に本発明を適用する場合について述べたが、本発明はこれに限らず、通常の符号分割多元接続に係る携帯電話システムの無線計測装置等に広く適用することができる。
【産業上の利用可能性】
【００３８】
本発明は、広域符号分割多元接続に係る携帯電話システムの無線計測装置に適用することができる。
【図面の簡単な説明】
【００３９】
【図１】本発明の実施例に係る無線計測装置を示すブロック図である。
【図２】図１の無線計測装置におけるシステム制御部の処理手順を示すフローチャートである。
【符号の説明】
【００４０】
１……無線計測装置、３……システム制御部、８……ベースバンド処理部、８Ａ……サーチ処理部、８Ｂ……データ復調部
【図１】
2006074082.tif 000005
【図２】
2006074082.tif 000006